(57)【要約】【課題】キャビネット蹴込み部の空間に進退可能な収納体に十分な補高効果のある踏み台機能を兼ね備えた利便性の高い収納体を提供する。【解決手段】  本発明では、前面に開口部を形成するキャビネット蹴込み部の空間に進退可能な少なくとも上面が開口した収納体であって、前記収納体の上面を覆う蓋体を備え、前記蓋体は蹴込み部からの退出時に、蹴込み部への格納時に納まる定位置より高い位置で水平に固定可能に形成する。【選択図】  図１
2011087745.tif 000002
【特許請求の範囲】
【請求項１】
内部に収納空間を備え、
キャビネット等の蹴込みに設けられた格納空間に格納可能な収納体であって、
前記収納体は開口した上面を持ち、
前記開口した上面を覆う蓋体を備え、
前記蓋体を前記格納空間に格納される高さを含む複数の高さに水平固定する固定手段を有することを特徴とする収納体。
【請求項２】
前記蓋体はその一辺に回転軸を備え、前記蓋体と前記収納体が当接する一辺において前記回転軸によって回動可能に連結され、
前記回転軸は、前記格納空間に格納される第一の係止位置と、
前記第一の係止位置より上方に位置する第二の係止位置を少なくとも備え、
前記回転軸と対向する一辺において前記蓋体が、前記収納体に係止し、水平位置で固定維持可能であることを特徴とする請求項１に記載の収納体
【請求項３】
前記収納体はその一辺に軸受部を持ち、
前記回転軸は前記軸受部内を移動可能であり、
前記軸受部内に前記第一の係止位置と、前記第二の係止位置を少なくとも備えていることを特徴とする請求項２に記載の収納体。
【請求項４】
前記回転軸は前記軸受部から逸脱することができないことを特徴とする請求項３に記載の収納体。
【発明の詳細な説明】
【技術分野】
【０００１】
本発明は、洗面化粧台、キッチンキャビネット、家具等の蹴込み部空間を利用してそこに進退可能な引き出し式の収納体に係り、特に体重計など薄いものを収納物として収納できる収納体に関する発明である。
【背景技術】
【０００２】
従来のキャビネット蹴込み部空間に引き出し可能な収納体に蓋体を備え付け、これを踏み板とした踏み台が提案されている。（例えば、特許文献１参照。）。
【０００３】
この提案では、収納体は蓋体と一体となった状態で蹴込み部空間に進入、格納される。つまり、踏み台として使用する場合においても、蹴込み部空間の高さを超えることができず、踏み台として十分な補高効果が得られないという課題が存在した。
【０００４】
また別の提案では、蹴込み部空間に格納された座面を有する収納物が、蹴込み部空間から退出し、格納状態から外に出ると、座面下に備え付けられたリンク機構により座面が上方に上がり格納状態の座面高さ位置より上方で固定される提案もなされている。（例えば、特許文献２参照。）。
【０００５】
この場合、踏み台として使用時にも十分な補高効果を得ることが出来るが、リンク機構などの機構部が必要となり、収納体内部にその機構部を納めるための空間を要し、収納体としての収納容量が減少してしまうという課題が存在した。
特に、従来収納されてきた体重計を収納することが不可能となるため、使い勝手が低下してしまうという問題が存在した。
【特許文献１】特開平１１−１０３９５１号公報（第４頁、第１図）
【特許文献２】特開平９−２９９１７６号公報（第４頁、第５図）
【発明の概要】
【発明が解決しようとする課題】
【０００６】
本発明は、上記問題を解決するためになされたもので、本発明の課題は、踏み台として使用する場合は十分な補高効果が得られると同時に収納体としても使用可能であり、キャビネット等の蹴込み部空間に格納できる踏み台兼用収納体を提供することである。
【課題を解決するための手段】
【０００７】
上記目的を達成するために請求項１記載の発明によれば、内部に収納空間を備え、キャビネット等の蹴込みに設けられた格納空間に格納可能な収納体であって、前記収納体は開口した上面を持ち、前記開口した上面を覆う蓋体を備え、前記蓋体を前記格納空間に格納される高さを含む複数の高さに水平固定する固定手段を有することを特徴とする収納体が提供される。
これにより、高さ寸法に制限のある格納空間に格納する収納体を利用した踏み台であっても、十分な収納量を確保しながら高さ寸法以上の補高が可能となる。
【０００８】
また、請求項２記載の発明によれば、前記蓋体はその一辺に回転軸を備え、前記蓋体と前記収納体が当接する一辺において前記回転軸によって回動可能に連結され、前記回転軸は、前記格納空間に格納される第一の係止位置と、前記第一の係止位置より上方に位置する第二の係止位置を少なくとも備え、前記回転軸と対向する一辺において前記蓋体が、前記収納体に係止し、水平位置で固定維持可能であることを特徴とする請求項１に記載の収納体が提供される。
これにより簡単な操作で収納体の開閉ができて収納物に容易にアプローチでき、また踏み台の全体高さを、水平を維持しつつ変更ができ使い勝手が改善される。
【０００９】
また、請求項３記載の発明によれば、前記収納体はその一辺に軸受部を持ち、前記回転軸は前記軸受部内を移動可能であり、前記軸受部内に前記第一の係止位置と、前記第二の係止位置を少なくとも備えていることを特徴とする請求項２に記載の収納体が提供される。
これにより軸受部に形成された軸移動空間がガイドとなり回転軸をスムーズに移動でき係止位置が楽に変えられ使い勝手が向上する。
【００１０】
また、請求項４記載の発明によれば、前記回転軸は前記軸受部から逸脱することができないことを特徴とする請求項３に記載の収納体が提供される。
これにより係止位置変更時に軸受部から回転軸が離脱して手をわずらわすこともなく、また使用時の蓋体の置き場所を考える必要がなく、蓋体の紛失の心配も不要となる。
【発明の効果】
【００１１】
本発明によれば、キャビネット蹴込み部の高さ寸法の取れない薄い空間にスライド自在に進退する収納体に踏み板となる蓋体を備え付けて踏み台とした装置であって、容易にかつ安価に格納する蹴込み高さ寸法以上の補高効果が得られる踏み台付き収納体を提供できる。
【図面の簡単な説明】
【００１２】
【図１】本発明のキャビネットへの組み込み収納形態を示す斜視図である。
【図２】本発明の実施例であって収納体格納時態様（ａ）踏み台使用時態様（ｂ）を示す斜視図である。
【図３】図２に示す実施例でその構造を説明するための側面図である。
【図４】本発明の実施例であって蓋体が回動する収納体を説明するための斜視図である。
【図５】図４に示す実施例でその構造を説明するための側面図である。
【発明を実施するための形態】
【００１３】
以下、本発明の好ましい実施の形態について、図面を参照しながら説明する。
【実施例】
【００１４】
図１は、本発明の第一の実施例における収納体と、収納体が格納される洗面化粧台を示した斜視図である。
洗面化粧台１の収納部下部の蹴込み部前部には蹴込み部幕板１０が設けられており、その一部に収納体３０を蹴込み部内部に格納できるように蹴込み開口部１１が形成されている。
収納体３０の洗面化粧台への格納時には収納体３０の収納体前板３２が蹴込み部幕板１０と面一となる。収納体前板３２の中央上部に備え付けられた取っ手３３を引くことで収納体３０は蹴込み部から退出し使用可能となる。このとき後述する収納体３０の裏に備え付けられたキャスターによりスムーズに収納体３０は移動することができる。収納体への収納物としては高さ寸法がなく平たいものが適し、図に用いた洗面化粧台では体重計などの健康測定機器を収納するのに便利である。
【００１５】
図４は本発明の第一実施例における収納体３０の斜視図である。  収納体３０は、収納体３０が蹴込み部内部に格納された時に蹴込み部開口部１１を塞ぐ収納体前板３２と、それに収納体底板３５を挟んで対抗面に収納体背板３４と、両サイドの２枚の収納体側板３６で構成される。いずれの収納体側板３６とも上部は外側に向って直角に折り曲げられ側板水平面３６ａが形成され、その側板水平面３６ａの裏面には左右２か所づつ計４か所に収納体をスムーズに移動するためのキャスター３７が備え付けられている。
【００１６】
キャスター３７の取り付け形態は以下の形態であることが好ましく、これにより体重計を収納した時に利便性が改善される。
キャスター３７は、側板水平面３６ａの裏に固定するベース部材と、このベース部材にキャスターの車輪が回転するための車輪軸を支持する部材が上下方向に回動するように軸支持されている。車輪軸を支持する部材は下方側に付勢手段により付勢され、収納体底板３５より車輪の接地面がわずかに下方に突出するように設定されている。収納体底板３５の裏側には無負荷時には床と接しない薄いクッションシート３５ａが貼られている。    
【００１７】
このキャスター３７の取り付け方法によれば収納物として体重計を収納した時、体重計の重量だけではキャスター３７に付与される付勢力により、収納体底板３５に貼られたクッションシート３５ａは床面と離れた状態が維持され収納体３０はスムーズに移動可能である。収納体３０に収納された状態で使用者が体重計にのるとキャスター３７に付与される付勢力は荷重に抗しきれず床と収納体底板３５に貼られたクッションシート３５ａが床面に当接し、キャスター３７による移動が制約を受け安定した状態となる。すなわち体重計を収納体３０からいちいち出さずに安定して体重計測が可能となり、使用後も体重計を収納体に戻す必要もなく簡単にしまえる。
図５（ａ）では収納体３０には蓋体５０が備え付けられ洗面化粧台１の蹴込み部空間に格納されている。この時蓋体５０の収納体３０へのセット位置は収納空間の高さ以下になっている。これにより洗面化粧台１の蹴込み部空間になんの干渉もなく格納することができる。
図４では蓋体５０を構成する踏み板５１は両サイドの踏み板支持フレーム５２により保持され、。
左右踏み板支持フレーム５２の後方側には後方脚部５２ｃが形成され、その下方にはそれぞれ内側に向って係合ピン５３ｂ（図５参照）が備え付けられる。一方収納体３０の収納体側板３６の後方にも前記係合ピン５３ｂが挿入される溝４０ａを備えた蓋体ピン係合部材４０が備え付けられている。この溝４０ａのそれぞれの端部は下を向いており、一端は上方前方位置に上方軸受部４１ｂ、他端は下方後方に下方軸受部４１ａが形成され、いずれの端部も係合ピン５３ｂ軸受構造を有するとともに、係合ピン５３ｂはふたつ端部を溝４０ａによって移動可能に形成される。
【００１８】
図４では、係合ピン５３ｂは、溝４０ａの低い方の下方軸受部４１ａに納まっているためそこを軸として回動させ蓋体５０により収納体３０を閉じると蓋体５０の前方脚部５２ｂは収納体３０の前板３２の後方をかすめて側板前方に側板一部を折り曲げて形成された前方脚部受け部３９に当接し蓋体５０が水平に維持されキャビネット内に格納可能となる。
【００１９】
蓋体５０を踏み台として使用する場合を図５（ｃ）を用いて説明する。
蓋体５０の後方脚部５２ｃに設けられた係合ピン５３ｂは、溝４０ａ内を移動してもう一方の端部である高い位置の上方軸受部４１ｂに納まりここを軸に蓋体５０が回動するようになっている。溝４０ａの上方軸受部４１ｂは高さ位置だけでなく前後方向に僅かに前方側にずれるように形成される。したがって上方軸受部４１ｂでの蓋体５０の回動軸と反対の前方側の回動による円弧軌道は収納体３０の前板３２側にずれることになり図５（ｂ）に示すように蓋体５０の前方脚部５２ｂの底面が前板３２の上端部に当接し、このとき踏み板５１は水平に維持されるように形成される。
【００２０】
本実施例では蓋体５０の前方脚部５２ｂの底面が前板３２の上端部に当接し、蓋体の自重で収納体と水平固定が維持されているが、前板３２と前方脚部５２ｂに互いに係合連結する部材を備え付け、蓋体が回動して水平になる位置で係合するように形成しても構わない。この係合手段は、係合ピン５３ｂが溝４０ａの下方軸受部４１ａに納まっている時は蓋体５０の前方脚部５２ｂの回動軌跡が後方にずれ蓋体は前方脚部受け部３９に当接する格納位置まで回動し蹴込み部に進退可能な低い位置に下げられることになる。
【００２１】
次に、本発明の第二の実施例について説明する。
図２（ａ）は収納体３０に蓋体５０を備え付け洗面化粧台１の蹴込み部空間に格納可能なセット状態を示している。蓋体５０の収納体３０へのセット位置は収納体前板３２の高さ以上にならないようになっている。これにより洗面化粧台１の蹴込み部空間になんの干渉もなく格納することができる。また図２（ｂ）は洗面化粧台より退出させ踏み台としてセットした状態の斜視図である。蓋体５０は格納時の位置よりも高い位置で固定され踏み台としての補高効果を増加させている。
【００２２】
図３を用いて蓋体５０と収納体３０の着脱、操作方法について説明する。
蓋体５０の４隅に形成された踏み板支持フレーム５２の脚部５２ａの下方にはいずれも外に向って係合ピン５３が形成される。一方収納体３０の４隅には係合ピン５３と係合する位置に係合ピン５３がそれぞれ係合するように後方が開放し、先端が下方を向いた複数高さの溝３８ａが形成された着脱式蓋体ピン係合部材３８が収納体側板３６の４か所コーナーに備え付けられる。４か所のコーナーに備え付けられた着脱式蓋体ピン係合部材３８の溝３８ａはいずれも形状、高さ位置が同様に形成される。
【００２３】
蓋体５０が低い格納時には４か所の係合ピン５３は、それぞれの溝３８ａの下段後方開口部から進入し溝３８ａ内を先端まで移動するが、溝３８ａの先端は下方を向いているため、蓋体５０はその自重で溝３８ａ先端に納まる。この操作により図２（ａ）に示す蹴込み部に格納可能な状態となる。
【００２４】
蓋体５０を外すときは係合ピン５３を溝３８ａ先端から浮かすために上方に持ち上げ溝３８ａの開口に向って移動させればよい。
【００２５】
踏み台として使用するには、上記方法により外された蓋体５０を蓋収納体ピン係合部材３８に形成された上段の別の溝３８ａに４か所同時にセットする。この操作により蓋体５０は収納体３０に対してより高い位置でセットされ図２（ｂ）の状態となる。
【００２６】
収納体３０を体重計収納して使用する場合には、蓋体５０を外した状態で体重計計測をし、踏み台として使用する場合は収納物そのままに蓋体５０の収納体３０へのセット位置を高くすることにより実現される。
【符号の説明】
【００２７】
１…洗面化粧台
１０…蹴込み部幕板
１１…蹴込み開口部
１２…キャビネット前扉
１３…キャビネット底板
３０…収納体
３２…収納体前板
３３…取っ手
３４…収納体背板
３５…収納体底板
３５ａ…クッションシート
３６…収納体側板
３６ａ…収納体側板水平面
３７…キャスター
３８…着脱式蓋体ピン係合部材
３９…前方脚部受け部
４０…蓋体ピン係合部材
４０ａ…溝
４１ａ…下方軸受部
４０ｂ…上方軸受部
５０…蓋体
５１…踏み板
５２…踏み板支持フレーム
５２ａ…脚部
５２ｂ…前方脚部
５２ｃ…後方脚部
５３…係合ピン
【図１】
2011087745.tif 000003
【図２】
2011087745.tif 000004
【図３】
2011087745.tif 000005
【図４】
2011087745.tif 000006
【図５】
2011087745.tif 000007